(57)【特許請求の範囲】
【請求項１】
使用者の尿量が測定可能な大便器ユニットであって、
水を蓄えるボウル部を有する大便器と、
前記ボウル部と連通する連通管と、
前記連通管と連通する水位測定管と、
前記水位測定管内の水によって生じる圧力を測定する圧力測定手段と、
前記連通管内の流路を開閉する流路開閉手段と、
前記流路開閉手段を制御する制御手段と、
前記大便器が設置されたトイレルーム内の使用者を検知する人体検知手段と、
を備え、
前記制御手段は、
前記人体検知手段が前記トイレルーム内の前記使用者を検知していない状態において、前記流路開閉手段を閉状態にして、前記水位測定管内の水の水位を前記ボウル部内の溜水の水位よりも高くする制御を実行し、
前記人体検知手段が前記トイレルーム内の前記使用者を検知した際に、前記流路開閉手段を開状態にして、前記水位測定管内の水の水位を前記ボウル部内の溜水の水位と同じにする制御を実行することを特徴とする大便器ユニット。
【請求項２】
前記制御手段は、前記流路開閉手段が開状態になってから所定時間経過後、前記流路開閉手段を閉状態にし、その後、使用者の尿量の測定を開始した際に送信される測定開始信号を受信した際に、前記流路開閉手段を開状態にする制御を実行することを特徴とする請求項１に記載の大便器ユニット。
【発明の詳細な説明】
【技術分野】
【０００１】
本発明の態様は、大便器ユニットに関する。
【背景技術】
【０００２】
近年、例えばトイレ空間に設置される大便器ユニットであって、便器機能以外の機能が付加された各種機能を有する大便器ユニットが普及している。例えば、大便器ユニットに設けられる装置として、洋風大便器のボウル内の溜水水位を測定する水位測定装置がある（特許文献１）。
【０００３】
特許文献１では、洋風大便器のボウル内の水位を測定することによって、被験者が排泄する尿の量である尿量や、単位時間当たりの排泄尿量である尿流率等の排尿情報の測定を行う生体情報測定部が設けられた生体情報測定装置が記載されている。この生体情報測定装置において、ボウル内の水位の測定は、ボウルと管路を介して連通する圧力センサ、及び、圧力センサに接続されている水位形成管を利用する。管路の途中には、管路を開閉するための、開閉弁が設けられている。開閉弁が開いている状態において、圧力センサによって、水位形成管内の水の圧力を計測することで、ボウル内の水位を測定する。
【０００４】
生体情報測定装置においては、水位形成管内は、水位測定直前まで、満水にしておくことが好ましい。圧力センサは、満水となった水位形成管内の水の圧力を計測することで、水位測定直前の環境変動要因を考慮し、計測した水位形成管満水時の水位による圧力値によって圧力センサの出力を校正することができる。水位測定時には、被験者の操作によって開閉弁を開き、水位形成管内の水位とボウル内の水位とを合わせる必要がある。その後、ボウル内の水位の絶対値を実測することができるようになる。
【先行技術文献】
【特許文献】
【０００５】
【特許文献１】特開２０１２−２３７１８７号公報
【発明の概要】
【発明が解決しようとする課題】
【０００６】
しかしながら、測定動作を開始した後に開閉弁を開いて水位形成管内の水位とボウル内の水位とを合わせると、水位形成管内の水位とボウル内の水位とが一致するまで、被験者は一定時間、待機しなければならない。排尿情報の測定を行う被験者は、排尿障害の方が多い。そして、この「一定時間待機する」という行為は、例えば排尿行為を待つことができないという尿意切迫感を持つような疾病者にとって、苦痛なものである。即ち、従来の生体情報測定装置においては、被験者にとっての使い心地を改善する余地がある。
【０００７】
本発明は、かかる課題の認識に基づいてなされたものであり、被験者にとっての使い心地を向上できる大便器ユニットを提供することを目的とする。
【課題を解決するための手段】
【０００９】
第１の発明は、使用者の尿量が測定可能な大便器ユニットであって、水を蓄えるボウル部を有する大便器と、前記ボウル部と連通する連通管と、前記連通管と連通する水位測定管と、前記水位測定管内の水によって生じる圧力を測定する圧力測定手段と、前記連通管内の流路を開閉する流路開閉手段と、前記流路開閉手段を制御する制御手段と、前記大便器が設置されたトイレルーム内の使用者を検知する人体検知手段と、を備え、前記制御手段は、前記人体検知手段が前記トイレルーム内の前記使用者を検知していない状態において、前記流路開閉手段を閉状態にして、前記水位測定管内の水の水位を前記ボウル部内の溜水の水位よりも高くする制御を実行し、前記人体検知手段が前記トイレルーム内の前記使用者を検知した際に、前記流路開閉手段を開状態にして、前記水位測定管内の水の水位を前記ボウル部内の溜水の水位と同じにする制御を実行することを特徴とする大便器ユニットである。  
この大便器ユニットによれば、制御手段は、人体検知手段がトイレルーム内の使用者を検知していない状態において、流路開閉手段を閉状態にして、水位測定管内の水の水位をボウル部内の溜水の水位よりも高くする制御を実行し、人体検知手段がトイレルーム内の使用者を検知した際に、流路開閉手段を開状態にして、水位測定管内の水の水位をボウル部内の溜水の水位と同じにする制御を実行する。このことより、流路開閉手段を開いて水位測定管内の水位とボウル内の水位とを一致させるため、被験者が待たなければならない時間を、削減することができる。よって、被験者にとっての大便器ユニットの使い心地を向上することができる。
【００１０】
第２の発明は、第１の発明において、前記制御手段は、前記流路開閉手段が開状態になってから所定時間経過後、前記流路開閉手段を閉状態にし、その後、使用者の尿量の測定を開始した際に送信される測定開始信号を受信した際に、前記流路開閉手段を開状態にする制御を実行することを特徴とする大便器ユニットである。  
この大便器ユニットによれば、制御手段は、流路開閉手段が開状態になってから所定時間経過後、流路開閉手段を閉状態にし、使用者の尿量の測定を開始した際に送信される測定開始信号を受信した際に、流路開閉手段を開状態にする制御を実行する。このことより、制御手段は測定開始信号を受信するまで流路開閉手段を閉状態にするため、トイレルーム入室者が測定を指示された被験者ではなく、トイレルームの清掃を担当する清掃従事者である場合において、清掃従事者が清掃作業でボウル部内を掃除した際に、ボウル部内の水が水位測定管へ流れ込むことで圧力測定手段が破損してしまうことを抑制できる。
【発明の効果】
【００１１】
本発明の態様によれば、被験者にとっての使い心地を向上できる大便器ユニットが提供される。
【図面の簡単な説明】
【００１２】
【図１】本発明の一実施形態に係る大便器ユニットが設置されたトイレルームを示す模式的斜視図である。
【図２】図１の大便器ユニットを示す模式的ブロック図である。
【図３】図１の大便器ユニットを示す模式的断面図である。
【図４】図１の大便器ユニットによる排尿情報測定動作を示す制御部のフローチャートである。
【図５】図１の大便器ユニットによる排尿情報測定動作を示すタイミングチャートである。
【発明を実施するための形態】
【００１３】
以下、本発明の実施の形態について図面を参照しつつ説明する。なお、各図面中、同様の構成要素には同一の符号を付して詳細な説明は適宜省略する。  
【００１４】
（大便器ユニット１について）
図１は、本発明の一実施形態に係る大便器ユニットが設置されたトイレルームを示す模式的斜視図である。  
図２は、図１の大便器ユニットを示す模式的ブロック図である。
なお、図２は、水路系と電気系との要部構成を併せて表している。    
まず、図１及び図２を用いて、本発明の一実施形態に係る大便器ユニット１について説明する。
【００１５】
図１に示すように、トイレルーム１００の床面１０１には、大便器ユニット１が設置されている。大便器ユニット１は、大便器２と、大便器２の上方に設けられた便座４と、大便器２の後方に設けられた機能部６と、を備えている。大便器２は、例えば、床置き式の洋風水洗大便器であり、陶器製である。この大便器２は、水を蓄えるボウル部８を有する。便座４は、例えば、樹脂製であり、暖房機能を有している。機能部６は、前方側面（大便器２の正面側）に、クッション性を有する背もたれ部７を有する。また、大便器ユニット１は、ボウル部８と、後に詳述する機能部６内の各要素とを連通する連通管９を備える（図２参照）。
【００１６】
ボウル部８内には、建物の排水配管２３内部で発生した悪臭や衛生害虫などが、トイレルーム１００内に侵入することを防止するための、溜水２１が形成されている。ボウル部８内における使用者が排泄した排泄物混じりの溜水２１は、後に詳述するボウル部８内洗浄動作によって、排水配管２３へ排出されるようになっている。
【００１７】
トイレルーム１００の横壁面１０２には、バーコード読取装置１０と、第１リモコン装置１２と、第２リモコン装置１４と、が設置されている。第１リモコン装置１２及び第２リモコン装置１４には、それぞれ複数のスイッチが設けられている。また、機能部６の上方には、データ出力装置１６が載置されている。これらの役割は、後に詳述する。
【００１８】
便座４は、人体検知センサ（人体検知手段）１８を有している。人体検知センサ１８は、例えば赤外線信号を利用した焦電センサであり、トイレルーム１００に入室した入室者を検知する。人体検知センサ１８は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知センサ１８として用いた場合には、トイレルーム１００のドア越しに使用者の存在を検知することが可能となる。つまり、トイレルーム１００に入室する前のトイレルーム１００に近接してくる使用者も検知することができる。
【００１９】
図２に示すように、大便器ユニット１は、制御部２０を備えている。制御部２０は、ＩＣ素子を含んだ制御回路であり、大便器ユニット１の各種機能を電気的に制御する。また、大便器２は、トラップ部２２を有している。トラップ部２２は、ボウル部８及び建物の排水配管２３と連通している。また、大便器２には、リム吐水孔２４及びジェット吐水孔２６が設けられている。ボウル部８内部を洗浄する際には、まず、第２リモコン装置１４に設けられた洗浄用のスイッチ１４ａを押す。洗浄用のスイッチ１４ａを押すと、第２リモコン装置１４は、制御部２０へ向かって、洗浄信号を送信する。制御部２０は、洗浄信号を受信すると、水道管からの水をリム吐水孔２４及びジェット吐水孔２６を通じて大便器２内へ吐出させる。ジェット吐水孔２６から水が吐水されると、トラップ部２２に水が満たされる。トラップ部２２に水が満たされると、トラップ部２２において、サイフォン現象が発生する。このサイフォン現象によって、排水配管２３側に負圧が発生する。その結果、ボウル部８内の溜水２１は、排水配管２３へ排出される。
【００２０】
機能部６は、補水タンク２８と、第１フロートスイッチ２９と、第２フロートスイッチ３１と、補水ポンプ３０と、排水トラップ３２と、気圧センサ３４と、水位測定管３６と、水位センサ（圧力測定手段）３８と、検量ポンプ４０と、開閉弁（流路開閉手段）４２と、手動ボール弁４４と、を有している。なお、開閉弁４２は、第１開閉弁４２ａ、第２開閉弁４２ｂ、第３開閉弁４２ｃ、第４開閉弁４２ｄ、及び、第５開閉弁４２ｅを有し、それぞれ電力によって動作する電磁弁である。第２開閉弁４２ｂ、第３開閉弁４２ｃ、第４開閉弁４２ｄ、及び、第５開閉弁４２ｅは、連通管９内に設置されており、連通管９内の流路を開閉する。第１開閉弁４２ａを開状態にすると、水道管から補水タンク２８へ水を補給することができる。手動ボール弁４４、第２開閉弁４２ｂ及び第３開閉弁４２ｃを開状態にすると、ボウル部８内の溜水２１の水位と水位測定管３６内の水の水位とが、同じになる。水位センサ３８は、水位測定管３６内の水の圧力（水頭圧）を計測し、その圧力を、圧力の大きさに応じた電圧値に変換して、制御部２０に出力する。
【００２１】
補水タンク２８は、排水トラップ３２の上方に設置されている。補水タンク２８内に一定量の水が供給されると、排水トラップ３２が有するオーバーフロー管３２ａへ水が排出される。オーバーフロー管３２ａへ排出された水は、オーバーフロー管３２ａ内を通って、排水トラップ３２内に供給される。排水トラップ３２は、大便器２のトラップ部２２より下流側に設けられた建物の排水配管２３と連通している。排水トラップ３２内に一定量の水が供給されると、排水配管２３内へ水が排出される。
【００２２】
第１フロートスイッチ２９は、補水タンク２８内、且つ、補水タンク２８の上端に設置されている。第２フロートスイッチ３１は、補水タンク２８内、且つ、第１フロートスイッチ２９より下方に設置されている。第１フロートスイッチ２９が水を検出すると、制御部２０は、第１開閉弁４２ａを閉状態にする。第２フロートスイッチ３１が水を検出しなくなると、制御部２０は、第１開閉弁４２ａを開状態にする。
【００２３】
大便器ユニット１の施工者は、手動ボール弁４４を閉状態に操作することによって、大便器２と機能部６との接続を解除することができる。大便器２と機能部６との接続を解除することで、大便器２を、排尿情報の測定を行わない、通常の衛生機器として使用することができる。また、大便器２又は機能部６が、例えば故障した場合に、故障した大便器２又は機能部６を、容易に取り換えることができる。  
【００２４】
（ボウル部８の水位に対する水量の関係式の算出方法について）    
図２を用いて、ボウル部８の水位に対する水量の関係式の算出方法について説明する。
【００２５】
大便器ユニット１の施工者は、大便器ユニット１をトイレルーム１００に施工した際に、ボウル部８の水位に対する水量の関係式を算出し、制御部２０に設定する。
まず、第２開閉弁４２ｂ、第３開閉弁４２ｃ、第４開閉弁４２ｄ、及び、手動ボール弁４４を開状態にする。次に、図示しない大便器２の給水手段を作動させ、リム吐水孔２４及びジェット吐水孔２６からの給水により、ボウル部８内の溜水２１の水位を、水がトラップ部２２の堰部２２ａから溢れだす限界の水位、即ち溢流水位Ｈにする。
【００２６】
次に、検量ポンプ４０を駆動させる。検量ポンプ４０は、ボウル部８内の溜水２１を、例えば２３０ミリリットル（ｍＬ）ずつ、排水トラップ３２へ向けて排出する。即ち、ボウル部８内の溜水２１は、検量ポンプ４０によって、例えば２３０ｍＬずつ、取り除かれる。したがって、ボウル部８内の溜水２１の水位は、検量ポンプ４０が駆動する度に、減少する。そして、検量ポンプ４０が駆動する度に、水位測定管３６内の水の圧力を、水位センサ３８によって計測する。なお、第２開閉弁４２ｂ及び第３開閉弁４２ｃは開状態であるため、水位測定管３６内の水の水位は、ボウル部８内の溜水２１の水位と同じになる。
【００２７】
このように、一定量の水を、ボウル部８内から取り除き、その際に減少した水位における、水位センサ３８が出力した電圧値を測定する。このことより、大便器２における、水位センサ３８が出力した電圧値に対する水量の関係式、即ち、ボウル部８の水位に対する水量の関係式を算出することができる。算出したボウル部８の水位に対する水量の関係式を、制御部２０に設定する。なお、ボウル部８の水位に対する水量の関係式を算出する方法は、検量ポンプ４０を使用せず、作業者が溢流水位Ｈの溜水を定量ずつ除去したり、あるいは破封水位Ｌから定量ずつ加算することで、ボウル部８の水位に対する水量の関係式を得るような手動方式であっても良い。
【００２８】
（排尿情報測定方法について）  
図３は、図１の大便器ユニットを示す模式的断面図である。  
図４は、図１の大便器ユニットによる排尿情報測定動作を示す制御部のフローチャートである。
図５は、図１の大便器ユニットによる排尿情報測定動作を示すタイミングチャートである。
図３〜図５を用いて、大便器ユニット１による排尿情報測定方法について説明する。なお、手動ボール弁４４は、常に開状態であるものとする。
【００２９】
図３（ａ）に示すように、人体検知センサ１８がトイレルーム１００に入室した入室者を検知していない状態、即ち、大便器ユニット１が待機状態において（図４のステップＳ１００）、水位測定管３６内の水の水位は、ボウル部８内の溜水２１の水位である測定時水位Ａより、高い。この水位測定管３６内の水の水位は、例えば、水位測定管３６の上限水位Ｂと同じである。言い換えると、水位測定管３６内は、略満水状態である。水位測定管３６の上限水位Ｂの値は、制御部２０に記憶されている。制御部２０は、上限水位Ｂの値と、水位センサ３８が計測している水位測定管３６内の水の水位とを比較する。このことより、制御部２０は、例えば水の温度など、水位測定直前の環境変動要因を考慮し、予め算出していたボウル部８の水位に対する水量の関係式を校正することができる。
【００３０】
測定時水位Ａは、破封水位Ｌより高く、溢流水位Ｈより低い。本実施形態においては、測定時水位Ａは、例えば、破封水位Ｌから５０〜５５ミリメートル（ｍｍ）高い水位である。また、測定時水位Ａは、例えば、溢流水位Ｈより２０〜３０ｍｍ低い水位である。
【００３１】
制御部２０は、後に詳述する測定開始信号を受信する前に、第２開閉弁４２ｂ及び第３開閉弁４２ｃを開状態にする。より具体的に説明すると、人体検知センサ１８がトイレルーム１００に入室した入室者を検知すると（図４のステップＳ１０１：ＹＥＳ）、制御部２０は、第２開閉弁４２ｂ及び第３開閉弁４２ｃを開状態にする（図４のステップＳ１０２）。人体検知センサ１８がトイレルーム１００に入室した入室者を検知していない場合は、大便器ユニット１は待機状態を維持し続ける（図４のステップＳ１０１：ＮＯ）。
【００３２】
図３（ｂ）に示すように、第２開閉弁４２ｂ及び第３開閉弁４２ｃが開状態になると、水位測定管３６内の水の水位は、ボウル部８内の溜水２１の水位と同じになる。なお、この際、ボウル部８内の溜水２１の水位は測定時水位Ａから上昇するが、例えば溜水２１の水量が約２０００ｍＬに対して、連通管９から水位測定管３６までの水量が約２０ｍＬである。そのため、その上昇量は微量であり、ボウル部８内の溜水２１の水位は、測定時水位Ａと等価である。即ち、ボウル部８内の溜水２１の水位、及び、水位測定管３６内の水の水位は、測定時水位Ａである。
【００３３】
第２開閉弁４２ｂ及び第３開閉弁４２ｃが開状態となってから、例えば１秒後、制御部２０は、第２開閉弁４２ｂ及び第３開閉弁４２ｃを閉状態にする（図４のステップＳ１０３）。この第２開閉弁４２ｂ及び第３開閉弁４２ｃの閉状態は、制御部２０が、後に詳述する測定開始信号を受信するまで、維持される。つまり、制御部２０は、測定開始信号を受信する前に、一旦開状態にした第２開閉弁４２ｂ及び第３開閉弁４２ｃを閉状態にする。このことより、制御部２０が測定開始信号を受信するまで第２開閉弁４２ｂ及び第３開閉弁４２ｃを閉状態にするため、例えば入室者が測定者（被験者）ではなく清掃者であり、棒付きタワシやラバーカップなどを使用してボウル部８内を掃除した際に、ボウル部８内の水が水位測定管３６へ流れ込むことで水位センサ３８が破損してしまうことを抑制できる。
【００３４】
入室者が、例えば、入室者自身が持っているバーコードタグをバーコード読取装置１０に翳すことで、バーコード読取装置１０は、排尿情報の測定開始信号を、制御部２０に送信する。なお、例えば、バーコードタグには、入室者自身のパーソナルデータが読み取れるバーコードが記載させている。制御部２０は、人体検知センサ１８が入室者を検知してから、例えば１０分間に、測定開始信号を受信すると（図４のステップＳ１０４：ＹＥＳ）、第２開閉弁４２ｂ及び第３開閉弁４２ｃを、再び開状態にする。人体検知センサ１８が入室者を検知してから、例えば１０分間、制御部２０が測定開始信号を受信しなかった場合、大便器ユニット１は待機状態に戻る（図４のステップＳ１０４：ＮＯ）。
【００３５】
第２開閉弁４２ｂ及び第３開閉弁４２ｃが開状態となることで、ボウル部８内の溜水２１の水面、及び、水位測定管３６内の水の水面が揺れ動く恐れがある。したがって、第２開閉弁４２ｂ及び第３開閉弁４２ｃが開状態になってから、ボウル部８内の溜水２１の水面、及び、水位測定管３６内の水の水面の揺れが停止するまでに必要な所定時間経過後、即ち例えば２秒後、大便器ユニット１は、排尿情報測定可能状態となる。大便器ユニット１が排尿情報測定可能状態となると、第１リモコン装置１２に設けられている液晶画面１２ａに、「排尿してください」と表示される。このとき、入室者、即ち被験者は、液晶画面１２ａに表示された「排尿してください」との文字を視認することによって、排尿動作を開始する。
【００３６】
図３（ｃ）に示すように、被験者の排尿動作が終了すると、ボウル部８内の溜水２１の水位は、測定時水位Ａから排尿後水位Ｃまで上昇する。即ち、ボウル部８内の溜水２１の水位、及び、水位測定管３６内の水の水位は、排尿後水位Ｃとなる。被験者は、第１リモコン装置１２に設けられた測定終了スイッチを押すことで、第１リモコン装置１２から制御部２０へ、測定終了信号を送信させることができる。あるいは、被験者は、バーコードをバーコード読取装置１０に翳すことで、測定終了信号を制御部２０に送信することができる。あるいは、使用者が第２リモコン装置１４からボウル部８への洗浄を行う洗浄用のスイッチ１４ａを押すと、測定終了信号を制御部２０に送信することができる。
【００３７】
制御部２０が測定終了信号を受信すると、制御部２０の指示によって、水位センサ３８は、水位測定管３６内の水の水圧によって測定された電圧値を制御部２０へ出力する（図４のステップＳ１０５：ＹＥＳ）。なお、制御部２０が測定開始信号を受信してから、例えば１０分間、測定終了信号を受信しなかった場合においても（図４のステップＳ１０５：ＮＯ）、水位センサ３８は、水位測定管３６内の水の水圧によって測定された電圧値を制御部２０へ出力する（図４のステップＳ１０６：ＹＥＳ）。制御部２０は、入力された電圧値を、予め算出していたボウル部８の水位に対する水量の関係式に当てはめることで、ボウル部８内の上昇水量、即ち被験者の尿量Ｄを算出する（図４のステップＳ１０７）。
【００３８】
図５に示すように、制御部２０は、被験者の尿量Ｄだけでなく、例えば、排尿時間Ｅ（秒）、最大尿流率Ｆ（ｍＬ／秒）、平均尿流率Ｇ（ｍＬ／秒）、最大尿流率到達時間Ｊ（秒）、ためらい時間Ｋ（秒）、などの排尿情報を算出する。排尿時間Ｅとは、ボウル部８内への尿の排出が開始してから、ボウル部８内への尿の排出が終了するまでの時間である。最大尿流率Ｆとは、単位時間当たりの尿量、即ち排尿速度である尿流率が最大であったときの値である。平均尿流率Ｇとは、尿流率の平均値である。最大尿流率到達時間Ｊとは、排尿が開始されてから、尿流率の値が最大尿流率の値になるまでの時間である。ためらい時間Ｋとは、液晶画面１２ａに、「排尿してください」と表示されてから、排尿が開始されるまでの時間である。
【００３９】
制御部２０による排尿情報の算出が終了すると、データ出力装置１６は、算出された排尿情報が記載されたデータ用紙をプリントアウトする（図４のステップＳ１０８）。被験者は、プリントアウトされたデータ用紙を確認することで、自身の排尿情報を知ることができる。また、制御部２０は、算出した被験者の排尿情報を、例えば、院内ＬＡＮを介して外部に設置されたパソコンなどに送信する。このことより、例えば、医師や看護師は、パソコンを操作することによって、被験者、即ち患者の排尿情報を容易に確認することができる。
また、制御部２０による排尿情報の算出が終了すると、制御部２０は、第２開閉弁４２ｂ及び第３開閉弁４２ｃを閉状態にする（図４のステップＳ１０９）。そして、制御部２０は、水道管からの水をリム吐水孔２４及びジェット吐水孔２６を通じて大便器２内へ吐出させる。その結果、上述したサイフォン現象によって、ボウル部８内部が洗浄される（図４のステップＳ１１０）。
【００４０】
図３（ｄ）に示すように、ボウル部８内の排出動作が終了すると、大便器２の図示しない給水手段は、リム吐水孔２４からの給水によって、破封水位Ｌと測定開始水位Ａとの間の水位まで粗調整のための給水を実施する。次いで、制御部２０は、第１開閉弁４２ａ、第２開閉弁４２ｂ、及び、第５開閉弁４２ｅを開状態にする（図４のステップＳ１１１）。また、制御部２０は、補水ポンプ３０を駆動させる（図４のステップＳ１１２）。補水ポンプ３０の駆動によって送水される補水タンク２８内の水によって、ボウル部８内の溜水２１の水位を測定時水位Ａにする。次に、第３開閉弁４２ｃを開状態にする（図４のステップＳ１１３）。そして、第２開閉弁４２ｂを閉状態にする（図４のステップＳ１１３）。補水ポンプ３０の駆動によって送水される補水タンク２８内の水によって、水位測定管３６内を洗浄する。また、補水ポンプ３０の駆動によって送水される補水タンク２８内の水によって、水位測定管３６内の水の水位を、上限水位Ｂにする。即ち、水位測定管３６内を略満水状態にする（図４のステップＳ１１４）。水位測定管３６内が略満水状態となったとき、制御部２０は、補水ポンプ３０の駆動を停止させる（図４のステップＳ１１５）。また、制御部２０は、第１開閉弁４２ａ、第３開閉弁４２ｃ、及び、第５開閉弁４２ｅを閉状態にする（図４のステップＳ１１６）。その後、大便器ユニット１は待機状態に戻る。
【００４１】
なお、本発明の一実施形態において、排水トラップ３２は、大便器２のトラップ部２２より下流側に設けられた建物の排水配管２３と連通している。そして、気圧センサ３４は、排水トラップ３２内の空気による圧力、即ち、排水配管２３内の空気による圧力を計測し、その圧力を、圧力の大きさに応じた電圧値に変換して、制御部２０に出力する。制御部２０は、気圧センサ３４によって得られた電圧値から、予め算出していたボウル部８の水位に対する水量の関係式を校正し、排尿情報測定動作を実行する。このことより、大便器ユニット１は、排水配管２３内に正圧や負圧が発生しボウル部８内の溜水２１の水位に変動が発生しても、この変動による影響を補正しながら排尿情報測定動作を行うことができる。
【００４２】
以上のことより、本実施形態の大便器ユニット１によれば、制御部２０は、被験者の尿量の測定を開始する際に送信される測定開始信号を受信する前に、第２開閉弁４２ｂ及び第３開閉弁４２ｃを開状態にする動作を実行する。このことより、第２開閉弁４２ｂ及び第３開閉弁４２ｃを開いて水位測定管３６内の水位とボウル部８内の水位とを一致させるため、被験者が待たなければならない時間を、削減することができる。よって、被験者にとっての大便器ユニット１の使い心地を向上することができる。
また、本実施形態の大便器ユニット１によれば、制御部２０は、人体検知センサ１８がトイレルーム１００内の被験者を検知した際に、第２開閉弁４２ｂ及び第３開閉弁４２ｃを開状態にする動作を実行する。このことより、第２開閉弁４２ｂ及び第３開閉弁４２ｃを開いて水位測定管３６内の水位とボウル部８内の水位とを一致させるため、被験者が待たなければならない時間を、削減することができる。よって、被験者にとっての大便器ユニット１の使い心地を向上することができる。  
【００４３】
（変形例について）
以上、本発明の一実施形態について説明した。しかし、本発明はこれらの記述に限定されるものではない。
【００４４】
本発明の一実施形態において、人体検知センサ１８は、トイレルーム１００に入室した入室者を検知するものであったが、それに限らず、使用者の便座への着座を検知するものであっても良い。しかし、トイレルーム１００の利用者は、必ずしも便座に着座するとは限らないため、人体検知センサ１８は、トイレルーム１００に入室した入室者を検知するものである方が、好ましい。
【００４５】
本発明の一実施形態において、制御部２０は、人体検知センサ１８がトイレルーム１００内の被験者を検知した際に、第２開閉弁４２ｂ及び第３開閉弁４２ｃを開状態にする動作を実行するものであったが、本発明はそれに限らない。例えば、制御部２０は、被験者が、トイレルーム１００内の照明の点灯スイッチを押した際に、第２開閉弁４２ｂ及び第３開閉弁４２ｃを開状態にする動作を実行するものであっても良い。
【００４６】
本発明の一実施形態において、被験者が被験者自身が持っているバーコードタグをバーコード読取装置１０に翳すことで、バーコード読取装置１０が排尿情報の測定開始信号を制御部２０に送信するものであったが、本発明はそれに限らない。例えば、第１リモコン装置１２に測定開始信号送信スイッチを設け、被験者が測定開始信号送信スイッチを押すことで、第１リモコン装置１２が排尿情報の測定開始信号を制御部２０に送信するものであっても良い。また、大便器２の便座に着座センサを設け、着座センサが被験者の着座を検知した際に、制御部２０へ測定開始信号が送信されるものであっても良い。その場合、制御部２０へ測定開始信号を送信した後、被験者のパーソナルデータを、制御部２０へ送信することが好ましい。
【００４７】
本発明の一実施形態において、例えば、第１リモコン装置１２に掃除モード開始スイッチを設けても良い。掃除モード開始スイッチは、押圧されると、制御部２０に掃除モード開始信号を送信する。制御部２０は掃除モード開始信号を受信すると、第２開閉弁４２ｂ及び第３開閉弁４２ｃを閉状態にする。このことより、入室者は、掃除モード開始スイッチを押すことで、確実に第２開閉弁４２ｂ及び第３開閉弁４２ｃを閉状態にし、ボウル部８内の溜水２１による水圧から、水位センサ３８を保護することができる。したがって、入室者は、掃除モード開始スイッチを押すことで、安心してボウル部８内の清掃を行うことができる。
【００４８】
前述の実施の形態に関して、当業者が適宜設計変更を加えたものも、本発明の特徴を備えている限り、本発明の範囲に包含される。例えば、大便器ユニット１などが備える各要素の形状、寸法、材質、配置などや大便器ユニット１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４９】
１ 大便器ユニット、  ２ 大便器、  ４ 便座、  ６ 機能部、  ７ 背もたれ部、  ８ ボウル部、  ９ 連通管、  １０ バーコード読取装置、  １２ 第１リモコン装置、  １２ａ 液晶画面、  １４ 第２リモコン装置、  １４ａ 洗浄用のスイッチ、  １６ データ出力装置、  １８ 人体検知センサ（人体検知手段）、  ２０ 制御部（制御手段）、  ２１ 溜水、  ２２ トラップ部、  ２２ａ 堰部、  ２３ 排水配管、  ２４ リム吐水孔、  ２６ ジェット吐水孔、  ２８ 補水タンク、  ２９ 第１フロートスイッチ、  ３０ 補水ポンプ、  ３１ 第２フロートスイッチ、  ３２ 排水トラップ、  ３２ａ オーバーフロー管、  ３４ 気圧センサ、  ３６ 水位測定管、  ３８ 水位センサ（圧力測定手段）、  ４０ 検量ポンプ、  ４２ 開閉弁（流路開閉手段）、  ４２ａ 第１開閉弁、  ４２ｂ 第２開閉弁、  ４２ｃ 第３開閉弁、  ４２ｄ 第４開閉弁、  ４２ｅ 第５開閉弁、  ４４ 手動ボール弁、  １００ トイレルーム、  １０１ 床面、  １０２ 横壁面、  Ａ 測定時水位、  Ｂ 上限水位、  Ｃ 排尿後水位、  Ｄ 尿量、  Ｅ 排尿時間、  Ｆ 最大尿流率、  Ｇ 平均尿流率、  Ｈ 溢流水位、  Ｊ 最大尿流率到達時間、  Ｋ ためらい時間、  Ｌ 破封水位    
【図１】
0006425118.tif 000002
【図２】
0006425118.tif 000003
【図３】
0006425118.tif 000004
【図４】
0006425118.tif 000005
【図５】
0006425118.tif 000006